(57)【要約】【課題】  電球装置を受容してその機械的保持および電気的接続が確実に行える構成が簡単なソケット装置を備えた光源装置およびこの光源装置を配設した光源実装回路装置を提供することを目的とする。【解決手段】  弾性電気絶縁材料で形成したホルダ１の電球装着孔２１に小形無口金電球３のバルブ３１を装着し、この電球装着孔２１に連通して形成した一対のリード線挿通孔２２，２２に電球３の一対の外部リード線６，６を挿通するとともにホルダ１の底面１５側から導出された外部リード線６，６をホルダ１の相反する側面１６，１６に添設してなる電球装置５Ａと、導電性部材からなり上記電球装置５Ａのホルダ１の外部リード線６，６が添設された側面１７，１７側を受容するとともに電気的接続をなす抱持係止部６４およびこの係止部６４に連設して接続端子が形成された接続部材６１，６１を、対向して一対配設したソケット装置６Ａとを備えている光源装置８およびこの光源装置８を配設した光源実装回路装置９である。【選択図】  図３
2005317366.tif 000002
【特許請求の範囲】
【請求項１】
弾性電気絶縁材料で形成したホルダの電球装着孔に小形無口金電球のバルブを装着し、この電球装着孔に連通して形成した一対のリード線挿通孔に電球の一対の外部リード線を挿通するとともにホルダの底面側から導出された外部リード線をホルダの相反する側面に添設してなる電球装置と、
導電性部材からなり上記電球装置のホルダの外部リード線が添設された側面側を受容するとともに電気的接続をなす抱持係止部およびこの係止部に連設して接続端子が形成された接続部材を、対向して一対配設したソケット装置と、
を具備していることを特徴とする光源装置。
【請求項２】
上記ソケット装置の抱持係止部が、ホルダの３側面を受容する略コ字形状をなしていることを特徴とする請求項１に記載の光源装置。
【請求項３】
上記電球装置のホルダ側面にホルダ軸に沿い形成した切欠部に、上記ソケット装置の抱持係止部が係止していることを特徴とする請求項１に記載の光源装置。
【請求項４】
上記電球装置のホルダの切欠部に形成したストッパー部に、上記ソケット装置の抱持係止部が当接することによって位置決めされることを特徴とする請求項３に記載の光源装置。
【請求項５】
基体に光源装置の電球装置が通過可能な貫通孔が形成され、この貫通孔の対向辺に一対の配線導体を配設するとともに各配線導体に上記光源装置が有するソケット装置の接続部材を接続配設してなる配線基体と；
この配線基体に配設したソケット装置の接続部材に装着された上記請求項１ないし請求項４のいずれか一に記載の光源装置と；
を具備していることを特徴とする光源実装回路装置。
【発明の詳細な説明】
【技術分野】
【０００１】
本発明は小形無口金電球を有する電球装置とこの電球装置を装着したソケット装置とからなる光源装置および基体に配設した配線導体に上記光源装置を接続配設してなる光源実装回路装置に関する。
【背景技術】
【０００２】
自動車などの車輌やＡＶ機器などのパネルには照明用や表示用として小形の白熱電球が数多く使われている。これらの使われ方としては、構成部品点数を節減してコストダウンをはかるため口金を兼ねる弾性電気絶縁材料製のホルダに無口金電球のバルブを装着した構成の電球装置を造り、この電球装置を回路が形成されたプリント配線基板などに機械的に取付けるとともに電気的な接続がなされるようになっている。
【０００３】
この電球装置のプリント配線基板などへの機械的取付けと電気的接続の手段としては大別して２種類あり、一つはホルダを配線基板などに開けられた装着孔などに嵌め込むとともに配線導体に接続する形式のものと、ホルダを配線基板などに設けられた端子片や端子ピンなどのソケット装置を介し端子部材に接続する形式のものがある。
【０００４】
本発明が関係する光源実装回路装置は上記において後者に属する、ホルダをソケット装置を介し端子部材に接続するもので、たとえば電気絶縁性材料からなるホルダの上面側の電球装着孔に装着した無口金電球のバルブから導出した外部リード線を、ホルダの底面から外側のフランジ面にまで延出させて電球装置を構成し、この外部リード線が添設されたフランジ面を含む部分をプリント配線基板の配線導体に半田付けなどの手段で接続している。
【０００５】
しかし、この構成では、電球がフィラメントの断線やバルブの破損などで不点となった場合、新しい電球と交換するときには上記半田付けを外すのに半田鏝などを必要とし作業が繁雑となるばかりか再度加熱が行われるので隣接する電子部品などへの熱的影響や近接する配線導体や電子部品などへの半田流れによるショート発生の虞があるなどの問題があった。
【０００６】
そこで、この種光源実装回路装置において、上記半田付けによる不具合を解消するものとして、たとえば特許文献１に開示された形式のものがある。図７はこの特許文献１に示されたもので図において、（ａ）図は上面図、（ｂ）図は正面図、（ｃ）図は（ｂ）図における電球装置の装着前後の縦断正面図である。
【０００７】
図７中、Ｌは小形の無口金電球で、ゴムなどの弾性電気絶縁性材料からなる略長方形のホルダＨの上面側に形成した電球装着孔Ｈ１に無口金電球ＬのバルブＬ１部分を装着するとともに、電球Ｌから導出した一対の外部リード線Ｌ２，Ｌ２を電球装着孔Ｈ１と連通したリード線挿通孔Ｈ２，Ｈ２にそれぞれ挿通してホルダＨの底面側から引き出して、それぞれを直線状の相反する方向に折り曲げ底面に延在させて先端部をホルダＨ外側壁面に折返し係止して電球装置Ｄを構成している。
【０００８】
また、この電球装置Ｄが装着されるソケット装置Ｓは、絶縁性材料で形成されたホルダＨを受容する装着部Ｓ１の対向する両側に、それぞれの外部リード線Ｌ２，Ｌ２と接触する金属板製のＬ字形状をなす接続部材Ｓ２，Ｓ２が配設され、両者で光源装置Ｋを形成している。
【０００９】
この光源装置Ｋは、Ｌ字形状をなす接続部材Ｓ２，Ｓ２がプリント配線基板Ｐなどに形成された配線導体Ｐ１，Ｐ１に半田Ｓ３，Ｓ３を介し接続され、光源実装回路装置Ｃを構成して電球Ｌの点灯が行われる。
【００１０】
そして、上記構成の光源実装回路装置Ｃは、電球Ｌがフィラメントの断線やバルブＬ１の破損などで不点となった場合、新しい電球Ｌまたは電球装置Ｄを矢印のような着脱を行うことで交換が可能な構成となっている。
【特許文献１】特開２００２−２６０５９７号公報（特願２００１−０５３９００）
【発明の開示】
【発明が解決しようとする課題】
【００１１】
上記光源装置Ｋを備えた光源実装回路装置Ｃは、従来に比べて電球装置Ｄに異常が生じた場合などに交換が容易であるが、電球装置Ｄの保持は電気絶縁性材料からなるソケット装置Ｓの装着部Ｓ１で、また、電気的接続は接続部材Ｓ２，Ｓ２により行われる構造で、大形化や部品点数が多いという不具合があった。
【００１２】
また、近時、各種装置の小形化が好まれる市場要求に沿って、配線基体に実装する部品の小形化、特に電子部品（表面実装ＳＭＤ対応）のスモールパッケージ化がすすみ小形電球を用いた光源装置においても、交換など保守の容易性に加えて他の電子部品同様に、部品の必要実装面積と実装高さの小形化が強く要望されている。
【００１３】
本発明は、上記事情に鑑みなされたもので、ソケット装置を接続する半田付けなどの繁雑な作業および熱的損傷が生じず、また、電球装置を受容してその機械的保持および電気的接続を確実に行えるとともに小形化しても構成が簡単なソケット装置と電球交換が容易な光源装置およびこの光源装置を配設した光源実装回路装置を提供することを目的とする。
【課題を解決するための手段】
【００１４】
本発明の請求項１に記載の光源装置は、弾性電気絶縁材料で形成したホルダの電球装着孔に小形無口金電球のバルブを装着し、この電球装着孔に連通して形成した一対のリード線挿通孔に電球の一対の外部リード線を挿通するとともにホルダの底面側から導出された外部リード線をホルダの相反する側面に添設してなる電球装置と、導電性部材からなり上記電球装置のホルダの外部リード線が添設された側面側を受容するとともに電気的接続をなす抱持係止部およびこの係止部に連設して接続端子が形成された接続部材を、対向して一対配設したソケット装置とを具備していることを特徴とする。
【００１５】
ホルダの対向する側面が、ソケット装置を構成する一対の接続部材の抱持係止部によって受容され機械的な保持がなされるとともにホルダの両側面に添設した電球の外部リード線が圧接して電気的な接続がなされる構成となっている。
【００１６】
すなわち、ソケット装置を形成する一対の接続部材は、金属板を略Ｌ字形に曲成した一片の中央部を接触部として両翼先端側をホルダの外側面とほぼ類似した形状の抱持係止部が形成してあり、この抱持係止部がホルダの外側面と圧接してホルダの保持を行うとともにホルダの外側面に添設した電球の外部リード線と強く接触し確実な電気的接続がなされる。
【００１７】
なお、本発明および以下の各発明において、特に指定しない限り用語の定義および技術的意味は次による。
【００１８】
ホルダを形成する弾性電気絶縁材料とはゴムや合成樹脂などの材料を指し、ホルダの外形は正四角形、長四角形や六角形などの多角形状、真円形や長円形などの円柱形状あるいはこれらの複合形状をなし、表面に電球のバルブが装着される電球装着孔が形成されている。
【００１９】
また、このホルダの電球装着孔に装着される小形の無口金電球は、ガラスバルブの端部に一対のリード線をガラスビードのステムなどを介し焼き絞りや圧潰により封着してあり、この封着部から一対の外部リード線が導出され、上記電球装着孔に連設して形成された一対のリード線挿通孔内を挿通してホルダの底面側へと引き出されている。
【００２０】
また、リード線挿通孔から引き出された外部リード線はホルダの底面および側面に添設されるが、その先端は側面部分または上面にまで達し直線状であっても折り曲げることにより係止されていてもよい。また、必須のものではないが、ホルダの底面や側面にこの外部リード線をガイドする案内溝を設けることによって係止し、リード線が弛んだり不所望な位置に飛び出すことを防止できる。なお、ホルダの側面に案内溝を形成する場合、案内溝深さはリード線外径より小さい添設されるリード線が接続端子と接触のため外表面が案内溝より外方に突出していることが必要である。
【００２１】
また、ソケット装置を形成する一対の接続部材はステンレス鋼やばね用リン青銅などの導電性金属から形成されている。各接続部材は、金属板を曲成した一片の中央部を接触部として両翼先端側をホルダの外側面とほぼ類似した形状の抱持係止部が形成してあり、この抱持係止部がホルダの外側面と圧接してホルダの保持と電球の外部リード線との電気的接続を確実に行うことができる。
【００２２】
本発明の請求項２に記載の光源装置は、上記ソケット装置の抱持係止部が、ホルダの３側面を受容する略コ字形状をなしていることを特徴とする。
【００２３】
抱持係止部をホルダの少なくとも３面（一対で６面）と接触させることにより圧接を強くし、係止部内においてホルダが移動したり抜け出すことを防止できるなど、上記請求項１に記載と同様の作用を奏する。
【００２４】
本発明の請求項３に記載の光源装置は、上記電球装置のホルダ側面にホルダ軸に沿い形成した切欠部に、上記ソケット装置の抱持係止部が係止していることを特徴とする。
【００２５】
ホルダ側面に形成した溝状や段状などの切欠部にソケット装置の抱持係止部を挿入や引っ掛けることにより、強制的にホルダの係止がはかれ、上記請求項１および請求項２に記載と同様の作用を奏する。
【００２６】
本発明の請求項４に記載の光源装置は、上記電球装置のホルダの切欠部に形成したストッパー部に、上記ソケット装置の抱持係止部が当接することによって位置決めされることを特徴とする。
【００２７】
ソケット装置の抱持係止部に嵌め入れられたホルダは、切欠部に形成したストッパー部が抱持係止部の端面と当接するまで押し入れられることによって、機械的な保持がなされるとともに位置決めおよびその高さを規制することができる。  なお、このストッパー部は、ホルダの装着方向によって上方側か下方側に形成すればよく、ホルダ上面または下面の当接面とストッパー部との寸法Ｔにより、配線基体面からの電球突出高さを調整することができる。
【００２８】
本発明の請求項５に記載の光源実装回路装置は、基体に光源装置の電球装置が通過可能な貫通孔が形成され、この貫通孔の対向辺に一対の配線導体を配設するとともに各配線導体に上記光源装置が有するソケット装置の接続部材を接続配設してなる配線基体と、この配線基体に配設したソケット装置の接続部材に装着された上記請求項１ないし請求項４のいずれか一に記載の光源装置とを具備していることを特徴とする。
【００２９】
上記請求項１ないし請求項４のいずれか一に記載の光源装置を備えているので、配線基体の配線導体にソケット装置を介し装着された電球装置が強く圧接され強固な保持と確実な電気的接続がなされるとともに、電球の断線時などの場合に交換が差し替えで容易に行える。
【００３０】
また、本発明の配線基体とは、プリント配線基板や絶縁基体に印刷や配線などにより導体が形成されたものを指し、また、この配線導体に配設されるソケット装置の接続部材は半田付け、溶接、ねじ止めやかしめなどその接続手段は問わない。
【００３１】
また、本発明の配線基体は、対向して配設された一対のソケット装置間に光源装置が通過できる切欠などの貫通孔を形成しておくことによって、光源装置を基体の表面側および裏面側からでも装着することができる。
【００３２】
さらに、配線導体とソケット装置との接続は、ソケット装置単体で行われても、電球装置装着後のソケット装置で行われてもよく、本発明ではこの接続に関係なく電球装置が装着されたソケット装置を光源装置と呼ぶ。
【発明の効果】
【００３３】
本発明の請求項１の記載によれば、半田付けなどの繁雑な作業を要さず、また、熱的損傷がない、ソケット装置を構成する一対の接続部材の抱持係止部によりホルダの両側面が押圧して機械的な保持がなされるとともに両側面に添設した電球の外部リード線が圧接されて電気的な接続がなされる、ソケット装置の部品点数の削減および小形化がはかれる他、電球の交換など容易で、コストダウンとメンテナンスが容易な光源装置を提供できる。
【００３４】
本発明の請求項２の記載によれば、上記抱持係止部をホルダの少なくとも３面（一対で６面）と接触させることにより圧接を強くし、係止部内においてホルダが移動したり抜け出すことの防止がはかれる、ホルダを強固に保持できるとともに上記請求項１に記載と同様の効果を奏する光源装置を提供できる。
【００３５】
本発明の請求項３の記載によれば、ホルダ側面に形成した切欠部にソケット装置の抱持係止部を挿入や引っ掛けることにより、強制的にホルダの係止がはかれとともに上記請求項１に記載と同様の効果を奏する光源装置を提供できる。
【００３６】
本発明の請求項４の記載によれば、ホルダの切欠部に連設したストッパー部によって位置決めと配線基体からの小形電球の突出高さを規制することができ、光中心位置が厳しい反射鏡と組合わせられるなどの場合には基準面としての作用効果を呈する光源装置を提供できる。
【００３７】
本発明の請求項５の記載によれば、上記請求項１ないし請求項４に記載の光源装置を備えているので、配線基体の配線導体にソケット装置を介し装着された電球装置が強く圧接され強固な保持と確実な電気的接続がなされるとともに、電球の断線時などの場合に交換が差し替えにより容易に行える光源実装回路装置を提供できる。
【発明を実施するための最良の形態】
【００３８】
以下、本発明の光源装置およびこの光源装置が装着された光源実装回路装置の実施の形態を図１ないし図３を参照して説明する。図１は自動車などのメータの表示用や照明用に使われる電球装置で、（ａ）図は上面図、（ｂ）図は正面縦断面図、（ｃ）図は底面図、図２は電球装置およびソケット装置が接続されたプリント配線基板の斜視図、図３は図２において電球装置がソケット装置に装着されて構成した光源実装回路装置の斜視図である。
【００３９】
なお、本発明の電球装置や光源実装回路装置などにおいて上下や左右などは図面の説明上であって、実使用時にはその方向が変わることもある。また、図中の縦横比率などの寸法は実寸ではなく一部誇張して示されている。（以下の図面においても同様）
図において１はゴムあるいは合成樹脂などの弾性電気絶縁材料からなる略長四角形状をしたホルダで、表面１１側の長辺の両側の各２か所を切欠して略円筒形状の本体部１２、係止部１３，１３…，…、切欠部１４，１４，…，…およびこの切欠部１４，１４，…，…の下方に略平坦面をなすストッパー部１７，１７，…，…が設けられている。
【００４０】
また、表面１１側の本体部１２中央に電球装着孔２１が、底面１５側は略長四角形状をなし上記電球装着孔２１に連通してホルダ１軸に沿って形成された一対のリード線挿通孔２２，２２の開口部およびこの開口部と連続して形成されたリード線案内溝２３が、表面１１側にはリード線案内溝２４が設けられている。
【００４１】
また、上記ホルダ１の電球装着孔２１内には小形無口金電球３のバルブ３１部分が装着されていて、バルブ３１端部の封着部３２から導出した一対の外部リード線４，４は上記リード線挿通孔２２，２２内を挿通して、相反する方向に折り曲げられ上記ホルダ１の底面１５側、側面１６側および表面１１側の上記リード線案内溝２３，２４内を案内され、その先端が折返されてリード線案内溝２４に係止されている。
【００４２】
また、外部リード線４、４と接続した内部リード線部分にはフィラメント３３が継線してあり、上記ホルダ１と小形無口金電球３とでもって電球装置５Ａを構成している。
【００４３】
また、６Ａはソケット装置で、ステンレス鋼やばね用リン青銅などの導電性金属からなる一対の接続部材６１，６１からなる。各接続部材６１は、金属板を略Ｌ字形に曲成した一片の中央部を接触部６２として両翼先端側を略直角に２回折り曲げた上方から見て略コ字形の抱持係止部６３，６３が形成してあり、この略コ字形の係止部６３，６３の幅は上記ホルダ１の係止部１３の厚さとほぼ同寸である。
【００４４】
また、７はプリント配線基板で、上記電球装置５Ａが通過できる大きさの貫通孔７３の対向辺にそれぞれ配線導体７１，７２が配設されている。そして、上記接続部材６１，６１の一片に連設した他片６４が接続端子として、上記貫通孔７３の対向辺にまで形成された各配線導体７１，７２上に所定の間隔（上記ホルダ１の長辺の略長さ分）を隔て正対して半田７５を介し接合されている。
【００４５】
そして、このプリント配線基板７の配線導体７１，７２に接合配設されたソケット装置６Ａの一対の接続部材６１，６１に、上記電球装置５Ａのホルダ１が図２および図３に示すように装着される。
【００４６】
この装着は上記電球装置５Ａをプリント配線基板７の下方側から貫通孔７３を通し、ホルダ１の係止部１３，１３，…，…を一対の接続部材６１，６１の略コ字形をなす抱持係止部６３，６３，…，…に臨ませ嵌め入れ、抱持係止部６３，６３，…，…の下端面と当略平坦面をなすストッパー部１７，１７，…，…とが当接して停止するまで押し上げることにより行われる。
【００４７】
このように装着されることによって、電球装置５Ａがソケット装置６Ａに受容され機械的な保持がなされるとともにストッパー部１７，１７，…，…により位置決めおよびその高さが規制される。また、ホルダ１の両側面１６，１６側に添設した外部リード線４，４が接触部６２，６２と圧接して電気的な接続が行われる。
【００４８】
なお、本発明では上記電球装置５Ａがソケット装置６Ａに装着された状態を光源装置８、この光源装置８がプリント配線基板７などに取着された状態を光源実装回路装置９と称する。
【００４９】
そして、上記プリント配線基板７の配線導体７１，７２に電源（図示しない。）からスイッチを介し給電されると、配線導体７１，７２に接合したソケット装置６Ａの接続部材６１，６１を経て外部リード線４，４に通電されフィラメント（図示しない。）が発光して所定の表示などがなされる。
【００５０】
また、この光源実装回路装置９は、電球装置５Ａのホルダ１の一部がプリント配線基板７の貫通孔７３内にあって、配線基板７面から電球３部分の突出高さが低くなるので電球装置５Ａや光源装置６Ａを実質的に小形化できることになる。
【００５１】
また、上述したように電球装置５Ａは、ホルダ１の切欠部１４，１４，…，…に連設したストッパー部１７，１７，…，…によって位置決めとプリント配線基板７面からの小形電球３の突出高さを一定に規制することができる。この突出高さは、電球３のバルブ３１頂部からホルダ１の底面１５までの高さを一定とした場合、ストッパー部１７面からホルダ１の底面１５までの高さ寸法Ｔを変えることにより容易に行うことができ、たとえば反射鏡と組合わせられるなどの場合、焦点位置合わせが正確で配光特性を高めることができる。すなわち、上記ストッパー部１７，１７，…，…は、電球３の突出高さを規制する基準面としての作用効果を呈する。
【００５２】
この光源実装回路装置９において電球３のフィラメント３３の断線やバルブ３１の破損などで電球３の交換が必要となった場合は、ソケット装置６Ａの端子部材６１，６１から電球装置５Ａを引き抜き外すとともに、ホルダ１外に導出している外部リード線４，４をほぼ直線状に引き延ばしてホルダ１の電球装着孔２１から電球３を引き抜き外し、新しい電球３と交換するかまたは新しい電球装置５Ａをソケット装置６Ａに装着することによって行うことができる。
【００５３】
そして、この新しい電球装置５Ａもストッパー部１７，１７，…，…が抱持係止部６３，６３，…，…の下端面と当接するまで押し込むことにより交換後も電球３の位置高さが変わらず電球３を点灯させることができる、その取換え作業も容易なメンテナンスに手間のかからない構成である。
【００５４】
上述した本発明に関わる電球装置５Ａおよび光源実装回路装置９は、自動車などのメータやＡＶ機器などの表示用や照明用に使われて、ソケット装置６Ａの接続部材６１，６１により電球装置５Ａの保持と電気的接続がなされる結果、装置部品点数の削減および小形化がはかれる他、電球３が不点となった場合にソケット装置６Ａの半田付けをやり直さなくてもよく電球３の交換などが容易で、コストダウンとメンテナンス（保守管理）が容易な電球装置５Ａおよび光源実装回路装置９を提供できる。
【００５５】
また、図４ないし図７は本発明装置の他の実施の形態を示し、図４は電球装置とソケット装置およびプリント配線基板の斜視図、図５ないし図７は電球装置部分の斜視図で、図１ないし図３と同一部分には同一の符号を付してその説明は省略する。
【００５６】
図４に示す電球装置５Ｂのホルダ１は外形が長四角形状をなし、ホルダ１の長辺側側面の中間部よりホルダ１軸に沿って溝状の切欠部１４，１４，…，…が形成してあり、各切欠部１４，１４，…，…の上部は段状のストッパー部１７，１７，…，…となっている。また、表面１１側の電球装着孔１２に収容した電球３から導出された外部リード線４，４は、ホルダ１の側面１６の中間部にまで延出し先端部は側面１６に形成した孔に係止されている。
【００５７】
また、ソケット装置６Ｂを構成する接続部材６１，６１は、金属板を略Ｌ字形に曲成した一片の中央部を接触部６２として両翼先端側を略直角に折り曲げた上方から見て略コ字形の抱持係止部６３が形成してある。
【００５８】
そして、ホルダ１の底面１５側を下にした矢印方向の上方側から略コ字形の抱持係止部６３，６３，…，…内に嵌め込まれた電球装置５Ｂは、押し下げられると各切欠部１４，１４，…，…の段状のストッパー部１７，１７，…，…が係止部６３，６３，…，…の上面と当接して侵入が停止されるとともに係止部６３，６３，…，…の内壁面が上記ホルダ１の３外側面を囲い圧接することによって一体化される、電球３を所定高さに位置するとともに強固な保持がなされる。
【００５９】
なお、電球３の高さ位置の変更は、ホルダ１の表面１１から切欠部１４の段状のストッパー部１７までの長さＴを変えることにより行うことができる。
【００６０】
また、この装着によりホルダ１の側面１６に添設した外部リード線４，４は、接続部材６１，６１中央の接触部６２，６２と圧着して良好な電気的接続がなされる。
【００６１】
図５に示す電球装置５Ｃのホルダ１は外形が長四角形状をなし、ホルダ１の長辺側側面の中間部よりホルダ１軸に沿って溝状の切欠部１４，１４，…，…が形成してあり、各切欠部１４，１４，…，…の上部は段状のストッパー部１７，１７，…，…となっている。
【００６２】
そして、この電球装置５Ｃは、図２の上記実施の形態に示すソケット装置６Ａの接続部材６１，６１に上方側から嵌め込むことによって装着することができ、また、押し下げられると各切欠部１４，１４，…，…の溝端部のストッパー部１７，１７，…，…が係止部６３，６３，…，…の上面と当接して侵入が停止され電球３を所定の高さに位置させることができる。
【００６３】
図６に示す電球装置５Ｄのホルダ１は、上記図４に示す電球装置５Ｂのホルダ１と溝状の切欠部１４，１４，…，…の形成位置が変えてある、各切欠部１４，１４，…，…が表面１１寄りからある。この電球装置５Ｄの場合は、図４に示すソケット装置６Ｂの接続部材６１，６１に貫通孔７３を介し下方側から嵌め込むことによって装着することができ、また、押し上げられると各切欠部１４，１４，…，…の溝端部のストッパー部１７，１７，…，…が係止部６３，６３，…，…の下面と当接して侵入が停止され電球３を所定の高さに位置させることができる。
【００６４】
図７に示す電球装置５Ｅのホルダ１は外形が長円形状をなし、両端の半円状をした外側面部の中間部からホルダ軸に沿うとともに平行して一対の切欠部１４，１４，…，…が形成してある。
【００６５】
また、この電球装置５Ｅを装着するソケット装置は、図示していないが接続部材が金属板を略Ｌ字形に曲成した一片側にホルダ端部とほぼ同形の半円状の抱持係止部が形成され、この抱持係止部の両先端を互いに平行となる方向に折曲げて構成されている。
【００６６】
そして、このソケット装置の下方側から電球装置５Ｅが嵌め入れられ、接続部材６１の内壁面がホルダ１の半円状の外側面を囲うとともに両先端が切欠部１４，１４内に装着される。この場合も、各切欠部１４，１４の溝端部のストッパー部１７，１７，…，…が係止部６３，６３，…，…の下面と当接して侵入が停止され電球３を所定の高さに位置させることができる。
【００６７】
そして、上記図４ないし図７に示す電球装置５Ｂ〜５Ｅも、ソケット装置６Ａ，６Ｂなどに装着されて、強固な保持と確実な電気的接続および電球の高さなどの位置出しが容易に行える、装置の小形化など上記実施の形態と同様な作用効果を奏する。
【００６８】
また、上記電球装置に形成する切欠部やストッパー部の形成およびソケット装置の構成は上記実施の形態に限らず、たとえば電球装置のホルダに形成する切欠部は対応するソケット装置の端子部材の構造によって貫通孔を通じ下方からでもあるいは上方からでも行うようにすることができる。また、電球装置も電球側が上向きであっても下向きであってもよく、その方向は任意に選ぶことができる
また、上記電球装置５Ａ〜５Ｅは車輌のメータやＡＶ機器の表示（照明）装置の筐体内などに設けられた配線基板などのソケット装置に取り付けられ、筐体の前面に設けられた文字、数字、絵図の入った透光板や光拡散板あるいは液晶板などの表示板を電球３の点灯により照明するよう構成されている。
【図面の簡単な説明】
【００６９】
【図１】本発明に使われる電球装置で、（ａ）図は上面図、（ｂ）図は縦断正面図、（ｃ）図は底面図である。
【図２】本発明の実施の形態を示す電球装置およびソケット装置が接続されたプリント配線基板の斜視図である。
【図３】図２において電球装置がソケット装置に装着されて構成した、本発明の実施の形態を示す光源実装回路装置の斜視図である。
【図４】本発明の他の実施の形態を示す電球装置およびソケット装置が接続されたプリント配線基板の斜視図である。
【図５】本発明の他の実施の形態を示す光源装置の斜視図である。
【図６】本発明の他の実施の形態を示す光源装置の斜視図である。
【図７】本発明の他の実施の形態を示す光源装置の斜視図である。
【図８】従来の光源実装回路装置を示し、（ａ）図は上面図、（ｂ）図は正面図、（ｃ）図は（ｂ）図における電球装置の装着前後の縦断正面図である。
【符号の説明】
【００７０】
１：ホルダ、    １１：表面、    １４：切欠部、    １５：底面、    １６：側面、    １７：ストッパー分、    ２１：電球装着孔、    ２２：リード線挿通孔、    ３：小形無口金電球、    ３１：バルブ、    ４：外部リード線、    ５Ａ〜５Ｄ：電球装置、    ６Ａ〜６Ｄ：ソケット装置、    ６１：接続部材、    ６３：抱持係止部、    ７：配線基板（基体）、    ７１，７２：配線導体、    ８：光源装置、    ９：光源実装回路装置、
【図１】
2005317366.tif 000003
【図２】
2005317366.tif 000004
【図３】
2005317366.tif 000005
【図４】
2005317366.tif 000006
【図５】
2005317366.tif 000007
【図６】
2005317366.tif 000008
【図７】
2005317366.tif 000009
【図８】
2005317366.tif 000010